(57)【特許請求の範囲】
【請求項１】
正極集電体、負極集電体、前記正極集電体および前記負極集電体を絶縁するセパレータを含む積層体を巻回して形成された発電要素と、
前記発電要素上面側の最も高い部分にそれぞれ位置する前記正極集電体および前記負極集電体において前記発電要素にそれぞれ電気的に接続された正極端子および負極端子からなる電極端子と、
前記発電要素が嵌る形状に形成された凹部、この凹部に連なり、その凹部を覆うことができる面積を有する蓋部とを含み、前記発電要素の上面側および下面側がそれぞれ前記蓋部と前記凹部に接触するように前記発電要素と前記電極端子の一部とを覆う外装部材が設けられ、
前記発電要素の軸の延びる方向が前記蓋部および前記凹部の底部と平行であり、
前記電極端子は前記発電要素より前記外装部材の外部へほぼ直線状に引出されて前記外装部材から露出することを特徴とする電池。
【請求項２】
前記発電要素は、前記正極集電体、前記セパレータおよび前記負極集電体を積層したシート状部材がある軸のまわりに巻かれた形態を有し、前記軸の延びる方向は、前記電極端子の延びる方向とほぼ平行であることを特徴とする請求項１に記載の電池。
【請求項３】
前記発電要素は、前記正極集電体、前記セパレータおよび前記負極集電体を積層したシート状部材がある軸のまわりに巻かれた形態を有し、前記軸の延びる方向は、前記電極端子の延びる方向とほぼ垂直であることを特徴とする請求項１に記載の電池。
【請求項４】
正極集電体、負極集電体、前記正極集電体および前記負極集電体を絶縁するセパレータを積層したシート状部材を複数積層した形態を有する発電要素と、
前記発電要素上面側の最も高い部分にそれぞれ位置する前記正極集電体および前記負極集電体において前記発電要素にそれぞれ電気的に接続された正極端子および負極端子からなる電極端子と、
前記発電要素が嵌る形状に形成された凹部、この凹部に連なり、その凹部を覆うことができる面積を有する蓋部とを含み、前記発電要素の上面側および下面側がそれぞれ前記蓋部と前記凹部に接触するように前記発電要素と前記電極端子の一部とを覆う外装部材が設けられ、
前記発電要素を構成する正極集電体、負極集電体およびセパレータは前記蓋部および前記凹部の底部と平行に積層されており、
前記電極端子は前記発電要素より前記外装部材の外部へほぼ直線状に引出されて前記外装部材から露出することを特徴とする電池。
【発明の詳細な説明】
【０００１】
【発明の属する技術分野】
この発明は、電池に関し、より特定的には、携帯電話機や個人情報端末等の携帯情報端末に用いられる電池に関するものである。
【０００２】
【従来の技術】
近年、電子機器、特に携帯電話機や携帯情報端末あるいは通信機能を備えたノート型パソコンなどの携帯機器において、小型化および軽量化が進んできている。このような電子機器の小型化および軽量化に伴って、これらの電子機器に用いられる電源としての電池において、その小型化および軽量化が強く求められている。
【０００３】
このような要求に応えるべく、電極と発電要素としての電池コアとをラミネートフィルムなどの外装部材で密閉し、従来よりも小型化および軽量化を図った電池の開発が進められている。
【０００４】
図１３は、従来の電池の斜視図である。図１３を参照して、従来の電池は、電力を発生させる発電要素としての電池コア１０と、電池コア１０を覆うラミネートフィルム２０と、電池コア１０に電気的に接続され、その一部分がラミネートフィルム２０に覆われる負極端子３１および正極端子３２とにより構成される。
【０００５】
電池コア１０は、正極集電体と、セパレータと、負極集電体とを重ねて積層体とし、この積層体を何重にも巻いて形成される。
【０００６】
ラミネートフィルム２０は、電池コア１０を受入れるための凹部２５と、その凹部を覆う蓋部２６とにより構成される。凹部２５は直方体形状を有し、電池コア１０を嵌めることができるだけの体積を有する。凹部２５と蓋部とは互いに接触する部分で圧着され、その内部に電池コア１０が密閉される。
【０００７】
負極端子３１および正極端子３２は、それぞれ電池コア１０の中央部に電気的に接続される。負極端子３１および正極端子３２は、電池２の長手方向に沿って互いに平行に延びるように形成されている。負極端子３１および正極端子３２は、ラミネートフィルム２０の蓋部２６に接触するように位置し、その一部分はラミネートフィルム２０から露出している。
【０００８】
図１４は、図１３中のＸＩＶ−ＸＩＶ線に沿って見た断面を示す図である。図１４を参照して、電池コア１０は、セパレータ１１、負極集電体１２、セパレータ１３および正極集電体１４を有する。セパレータ１１、負極集電体１２、セパレータ１３および正極集電体１４は積層されて渦巻状に巻き重ねて形成されている。セパレータ１１および１３は絶縁体により形成され、負極集電体１２および正極集電体１４が直接接触するのを防止する働きをする。負極集電体１２の表面には負極活物質が塗布されている。正極集電体１４の表面には正極活物質が塗布されている。
【０００９】
電池コア１０の中央部に位置する正極集電体１４に正極端子３２が接続されている。電池コア１０の中央部に位置する負極集電体１２に負極端子３１が接続されている。正極端子３２および負極端子３１は、それぞれ上方に向かって延びるように曲げられ、蓋部２６と凹部２５との間から外部に露出するように延びる。
【００１０】
正極端子３２および負極端子３１は、それぞれアルミニウム等の金属により構成される。
【００１１】
ラミネートフィルム２０は、樹脂層２１、アルミニウム層２２および樹脂層２３の３層を積層して構成される。ラミネートフィルム２０は、電池コア１０を収納する凹部２５と、凹部２５を覆う蓋部２６とにより構成される。凹部２５と蓋部２６とは互いに圧着されて電池コア１０を密閉する。
【００１２】
図１５は、図１３中のＸＶ−ＸＶ線に沿って見た断面を示す図である。図１５を参照して、電池コア１０は、セパレータ１１、負極集電体１２、セパレータ１３および正極集電体１４を重ねて積層体とし、この積層体を何重にも巻重ねることにより形成される。電池コア１０は、ラミネートフィルム２０の凹部２５および蓋部２６に接触し、凹部２５内に位置決めされる。図１５では示していないが、渦巻の中央部に位置する負極集電体１２に負極端子が接続され、渦巻の中央部に位置する正極集電体１４に正極端子が接続される。
【００１３】
図１６は、従来の別の電池の断面図である。なお、図１６で示す断面は、図１４で示す断面に対応する。図１６を参照して、従来の電池２０２は、電力を発生させる発電要素としての電池コア２１０と、電池コア２１０を覆うラミネートフィルム２０と、電池コア２１０に電気的に接続される正極端子２３２および負極端子（図示せず）とを有する。
【００１４】
電池コア２１０は、セパレータ２１１と、セパレータ２１１に覆われた負極集電体２１２と、セパレータ２１３と、セパレータ２１３に覆われた正極集電体２１４を積層した積層体２１５を複数重ねて形成されている。この積層体２１５のうち、負極集電体２１２の表面には負極活物質が塗布される。正極集電体２１４の表面には、正極活物質が塗布される。負極集電体２１２は、リード線２４１を介して負極端子（図示せず）に接続される。正極集電体２１４はリード線２４２を介して正極端子２３２に接続される。
【００１５】
【発明が解決しようとする課題】
上述のような従来の電池で生じる問題について以下に説明する。
【００１６】
まず、図１４で示す電池２では、電池コア１０の中央部から負極端子３１および正極端子３２を外部へ引出しているため、負極端子３１および正極端子３２は上方向に曲げられる。このとき、急激に正極端子３２および負極端子３１を曲げると正極端子３２および負極端子３１が切れるので、正極端子３２および負極端子３１を徐々に曲げる。そのために、電池コア１０とラミネートフィルム２０との側壁には、幅Ｗ1（１〜１．５ｍｍ）のスペースを確保する必要がある。また、図１６でも、同様に正極端子３２を徐々に曲げるために、電池コア２１０とラミネートフィルム２０の側壁との間にスペースを確保する必要がある。このスペースのために、電池２および２０２を小型化できないという問題があった。
【００１７】
さらに、図１４では、たとえば正極端子３２は曲げられて曲率が大きい部分３２ａが発生する。この部分３２ａでクラック等が発生し、電池２の信頼性が損なわれる。また、図１６で示す電池２０２でも、曲率が大きい部分２３２ａにおいてクラック等が発生し、電池２０２の信頼性が低下する。
【００１８】
さらに電池２および２０２を落下させた場合には、図１４では、正極端子３２および負極端子３１が凹部２５の角部分２５ａに押し付けられて正極端子３２および負極端子３１が切れる、または内部短絡するという問題があった。同様に、図１５に示す電池２０２においても、電池２０２を落下させた場合に、正極端子２３２が凹部２５の角部分２５ａに押し付けられて、断線または内部短絡が生じるという問題があった。
【００１９】
そこで、この発明は上述のような問題点を解決するためになされたものである。この発明の１つの目的は、小型化が可能な電池を提供することである。
【００２０】
またこの発明の別の目的は、信頼性の高い電池を提供することである。
【００２１】
【課題を解決するための手段】
この発明に従った電池は、正極集電体、負極集電体、正極集電体および負極集電体を絶縁するセパレータを含む積層体を巻回して形成された発電要素と、発電要素上面側の最も高い部分にそれぞれ位置する正極集電体および負極集電体において発電要素にそれぞれ電気的に接続された正極端子および負極端子からなる電極端子と、発電要素が嵌る形状に形成された凹部、この凹部に連なり、その凹部を覆うことができる面積を有する蓋部とを含み、発電要素の上面側および下面側がそれぞれ蓋部と凹部に接触するように発電要素と電極端子の一部を覆う外装部材が設けられている。発電要素の軸の延びる方向が蓋部および凹部の底部と平行である。電極端子は発電要素より外装部材の外部へほぼ直線状に引出されて外装部材から露出する。
【００２５】
また好ましくは、発電要素は、正極集電体、セパレータおよび負極集電体を積層したシート状部材がある軸のまわりに巻かれた形態を有し、軸の延びる方向は、電極端子の延びる方向とほぼ平行である。
【００２６】
また好ましくは、発電要素は、正極集電体、セパレータおよび負極集電体を積層したシート状部材がある軸のまわりに巻かれた形態を有し、軸の延びる方向は、電極端子の延びる方向とほぼ垂直である。
【００２７】
この発明に従った電池は、正極集電体、負極集電体、正極集電体および負極集電体を絶縁するセパレータを積層したシート状部材を複数積層した形態を有する発電要素と、発電要素上面側の最も高い部分にそれぞれ位置する正極集電体および負極集電体において発電要素にそれぞれ電気的に接続された正極端子および負極端子からなる電極端子と、発電要素が嵌る形状に形成された凹部、この凹部に連なり、その凹部を覆うことができる面積を有する蓋部とを含み、発電要素の上面側および下面側がそれぞれ蓋部と凹部に接触するように発電要素と電極端子の一部とを覆う外装部材が設けられ、発電要素を構成する正極集電体、負極集電体およびセパレータは蓋部および凹部の底部と平行に積層されており、電極端子は発電要素より外装部材の外部へほぼ直線状に引出されて外装部材から露出する。
【００２８】
【発明の実施の形態】
以下、この発明の実施の形態について図面を参照して説明する。
【００２９】
（実施の形態１）
図１は、この発明の実施の形態１に従った電池の斜視図である。図１を参照して、電池１は、電力を発生させる発電要素としての電池コア１０と、電池コア１０に電気的に接続された電極端子としての負極端子３１および正極端子３２と、電池コア１０と負極端子３１および正極端子３２の一部とを覆う外装部材としてのラミネートフィルム２０とを備える。
【００３０】
ラミネートフィルム２０は、電池コア１０を受入れるための凹部２５と、この凹部２５に連なり、凹部２５を覆うことができる面積を有する蓋部２６とにより構成される。１枚のシート状のラミネートフィルム２０に凹部２５と、この凹部２５を覆うための蓋部２６が形成されており、凹部２５内に電池コア１０を嵌め合わせた状態でラミネートフィルム２０の所定部分を折り曲げて凹部２５の外周部と蓋部２６を圧着する。その後ラミネートフィルムの余った部分を凹部２５へ近づく方向へ巻くことにより図１で示すような形態となる。
【００３１】
電池コア１０は凹部２５内に嵌め合わせられて位置決めされる。電池コア１０は、負極集電体と、セパレータと、正極集電体とを重ねて積層体とし、この積層体を何重にも巻き重ねることにより形成される。電池コア１０は長手方向に延びるように形成されている。
【００３２】
負極端子３１および正極端子３２は電池コア１０に電気的に接続されている。負極端子３１および正極端子３２は、電池コア１０の端部に接続され、電池コア１０からほぼ直線状に引出されてラミネートフィルム２０から露出するように位置決めされている。正極端子３２および負極端子３１は、アルミ、銅またはニッケルなどの金属により構成され、ラミネートフィルム２０の蓋部２６に沿って一方向に延びるように、かつ電池コア１０の長手方向と同じ方向に延びるように形成される。負極端子３１と正極端子３２とは所定の距離を隔てて互いに平行に延びるように形成される。
【００３３】
図２は、図１中のＩＩ−ＩＩ線に沿って見た断面を示す図である。図２を参照して、電池１は、ラミネートフィルム２０と、ラミネートフィルム２０に収納される電池コア１０と、電池コア１０に電気的に接続された負極端子３１および正極端子３２とにより構成される。ラミネートフィルム２０は、容器状の凹部２５と、この凹部に接続されて凹部２５を覆うことができる蓋部２６とにより構成される。ラミネートフィルム２０は、樹脂層２１、アルミニウム層２２および樹脂層２３の３重構造であり、樹脂層２１が内側に、樹脂層２３が外側に位置する。樹脂層２１および２３は、ポリプロピレン、ポリエチレンなどの高分子樹脂により構成される。ラミネートフィルム２０の厚みは３００μｍ以下とされる。
【００３４】
ラミネートフィルム２０に接触するように電池コア１０が設けられている。電池コア１０は、セパレータ１１と、負極集電体１２と、セパレータ１３と、正極集電体１４とを重ねて積層体とし、この積層体を巻き重ねることにより形成されている。なお、図では、負極集電体１２とセパレータ１１および１３が直接接触しているが、セパレータ１１および１３と負極集電体１２の間には、リチウム等の負極活物質が介在する。すなわち、負極集電体１２の両面に負極活物質が塗付され、その負極活物質に接触するようにセパレータ１１および１３が設けられている。
【００３５】
また、正極集電体１４は図では、セパレータ１３および１１に直接接触しているが、セパレータ１１および１３と正極集電体１４との間には、リチウムと金属との酸化物により構成される正極活物質が存在する。すなわち、正極集電体１４の両面には正極活物質が塗付され、この正極活物質に接触するようにセパレータ１１および１３が設けられている。最も高い部分に位置する負極集電体１２および正極集電体１４は負極端子３１および正極端子３２に電気的に接続される。負極端子３１および正極端子３２は、負極集電体１２および正極集電体１４からほぼ直線状に引出されてラミネートフィルム２０から露出するように延びている。正極端子３２および負極端子３１は、電池コア１０の中央部よりも上側に接続され、急激に曲げられることがない。
【００３６】
図３は図１中のＩＩＩ−ＩＩＩ線に沿って見た断面を示す図である。図３を参照して、電池１において、電池コア１０はセパレータ１１、負極集電体１２、セパレータ１３および正極集電体１４を重ねて積層体とし、これを渦巻状に巻いて形成される。この積層体は重ねて巻かれており、正極集電体１４の両側にはセパレータ１１および１３が位置し、負極集電体１２の両側にはセパレータ１１および１３が位置し、正極集電体１４と負極集電体１２とが直接接触することはない。巻き重ねて形成された電池コア１０はラミネートフィルム２０の凹部２５に嵌まる形状とされておりその上面および下面がそれぞれ蓋部２６および凹部２５に接触している。電池コア１０は、紙面の手前側から奥側に延びるように形成されており、その端部（図３では示さず）には、正極端子および負極端子が接続されている。負極集電体１２および正極集電体１４の間には、所定の電解質が存在し、この電解質により、正極集電体１４から負極集電体１２へ、または負極集電体１２から正極集電体１４へ電子が移動する。なお、このように正極集電体１４および負極集電体１２を巻き重ねているのは、少ない体積で正極集電体１４と負極集電体１２との対向面積を大きくして電池の容量を上げるためである。図３では、電池コア１０は、セパレータ１１、負極集電体１２、セパレータ１３および正極集電体１４を積層したシート状部材が、ある軸のまわりに巻かれた形態を有する。この軸の延びる方向と正極端子３２および負極端子３１の延びる方向とはほぼ平行である。
【００３７】
図４は、負極集電体の平面図であり、図５は、正極集電体の平面図である。図４を参照して、負極集電体１２は、一方向に延びるフィルム状の導電性を有する部材である。負極集電体１２の両面には負極活物質が塗付されている。負極集電体１２の一方端に負極端子３１が接続されている。そのため、負極端子３１と、負極集電体１２と、負極集電体１２の表面に形成された負極活物質とはそれぞれ電気的に接続されている。
【００３８】
図５を参照して、正極集電体１４は、一方向に延びるように形成されるフィルム状の導電性を有する部材である。正極集電体１４の両面には、リチウムと金属との酸化物のような正極活物質が塗布されている。正極集電体１４の中央部から左よりの部分に正極端子３２が接続されている。正極端子３２と、正極集電体１４と、正極集電体１４の表面に塗布された正極活物質とは、それぞれ電気的に接続されている。図４および図５で示す負極端子３１および正極端子３２は、正極端子３２および負極端子３１が大きく曲げられることなく電池コアから外部へ取出せるような位置に接続される。
【００３９】
図４および図５で示す正極集電体１４および負極集電体１２を用いて電池コア１０を構成する場合には、まず、図３で示すセパレータ１１、負極集電体１２、セパレータ１３および正極集電体１４を積層する。この積層体を矢印１２ａおよび１４ａで示す方向から所定の芯材を中心として渦巻状に巻き、巻き終わったところで負極集電体１２に負極端子３１を接続し、正極集電体１４に正極端子３２を接続する。
【００４０】
このように構成された電池１では、まず電池コア１０に接続されてラミネートフィルム２０の外部へ取出される負極端子３１および正極端子３２は、電池コア１０に接続された部分からラミネートフィルム２０の外部へ取出される部分においてほぼ直線状に引出されるため大きく曲げられることがない。そのため、従来のように凹部２５の側壁と電池コア１０との間の幅Ｗ3を、従来よりも小さい値（０．２〜０．３ｍｍ）とすることができる。これにより電池１自体を小型化することができる。
【００４１】
さらに、正極端子３２および負極端子３１は急激に曲げられることがないため、その表面でクラックなどが発生しない。その結果、正極端子３２および負極端子３１が切れることを防止でき電池１の信頼性を向上させることができる。
【００４２】
さらに、従来のように負極端子３１および正極端子３２を凹部２５内でたるませることがないため、電池１が落下して電池コア１０に衝撃が加わった場合であっても、負極端子３１および正極端子３２のたるんだ部分で正極端子３２および負極端子３１が切れることがなく、または内部短絡等が発生しない。その結果、電池の信頼性をさらに向上させることができる。
【００４３】
なお、図２および図３で示す電池１では、電池コア１０の構成要素のうち、負極集電体１２が外側に位置し、正極集電体１４が内側に位置していたが、これに限られるものではなく、正極集電体１４が外側に位置し、負極集電体１２が内側に位置してもよい。
【００４４】
（実施の形態２）
図６は、この発明の実施の形態２に従った電池の断面図である。なお、図６で示す断面は図２で示す断面に対応する。図６を参照して、電池１０１は、ラミネートフィルム２０と、ラミネートフィルム２０で覆われた電池コア１１０と、電池コア１１０に電気的に接続された負極端子１３１および正極端子１３２とにより構成される。
【００４５】
電池コア１１０は、ラミネートフィルム２０の凹部２５に収納される。電池コア１１０は、セパレータ１１１と、負極集電体１１２と、セパレータ１１３と、正極集電体１１４とを重ねて積層体とし、この積層体を渦巻状に巻くことにより形成される。負極集電体１１２の両面には負極活物質が塗布されている。そのため、セパレータ１１１と負極集電体１１２との間には負極活物質が存在し、負極集電体１１２とセパレータ１１３との間にも負極活物質が存在する。
【００４６】
正極集電体１４の両面には、正極活物質が塗布されている。そのため、正極集電体１１４とセパレータ１１３との間には正極活物質が存在し、正極集電体１１４とセパレータ１１１との間には正極活物質が存在する。負極集電体１１２には負極端子１３１が電気的に接続されている。正極集電体１１４には正極端子１３２が電気的に接続されている。負極端子１３１および正極端子１３２は、電池コア１１０からほぼ直線状に引出されてラミネートフィルム２０から露出する。すなわち、正極端子１３２および負極端子１３１は、凹部２５内において大きく曲げられることがない。さらに、正極端子１３２および負極端子１３１は、蓋部２６に沿って設けられる。電池コア１１０は、セパレータ１１１、負極集電体１１２、セパレータ１１３および正極集電体１１４を積層したシート状部材がある軸に巻かれた形態を有する。その軸の延びる方向は、正極端子１３２および負極端子１３１の延びる方向とほぼ垂直である。
【００４７】
図７は、図６中のＶＩＩ−ＶＩＩ線に沿って見た断面を示す図である。図７を参照して、電池１０１は、ラミネートフィルム２０と、ラミネートフィルム２０で囲まれた空間に位置する電池コア１１０とを有する。電池コア１１０は、セパレータ１１１と、負極集電体１１２と、セパレータ１１３と、正極集電体１１４とを巻き重ねた構造となる。そのため、図７で示す断面では、セパレータ１１１、負極集電体１１２、セパレータ１１３および正極集電体１１４はそれぞれが分離したように記載されているが、これらは紙面の手前側および紙面の奥側でそれぞれつながっている。
【００４８】
図８は、正極集電体の平面図である。図９は負極集電体の平面図である。図８を参照して、正極集電体１１４は、一方向に延びるフィルム状の導電性の部材により形成される。正極集電体１１４の表面には正極活物質が塗布されている。正極集電体１１４には正極端子１３２が電気的に接続されている。正極端子１３２と、正極集電体１１４と、正極集電体１１４の表面に塗布された正極活物質はそれぞれ電気的に接続されている。
【００４９】
図９を参照して、負極集電体１１２は、一方向に延びるフィルム状の導電性の部材により構成される。負極集電体１１２の表面に負極活物質が塗布される。負極集電体１１２の一方端には、負極端子１３１が接続されている。負極端子１３１と、負極集電体１１２と、負極集電体１１２の表面に塗布された負極活物質とはそれぞれ電気的に接続されている。
【００５０】
このような正極集電体１１４および負極集電体１１２を用いて電池コア１１０を製造する場合には、まず、セパレータ１１１、負極集電体１１２、セパレータ１１３および正極集電体１１４を積層する。積層した状態で正極集電体１１４および負極集電体１１２を矢印１１２ａおよび１１４ａで示す方向に巻いていく。これにより電池コア１１０を形成することができる。
【００５１】
このような電池１０１でも、実施の形態１で示した電池１と同様の効果がある。
【００５２】
（実施の形態３）
図１０または図１１は、この発明の実施の形態３に従った電池の断面図である。なお、図１０と図１１で示す断面は、図２で示す断面に対応する。図１０または図１１を参照して、電池２０１は、電力を発生させる発電要素としての電池コア２１０と、電池コア２１０に電気的に接続された電極端子としての負極端子２３１と、電池コア２１０と負極端子２３１の一部とを覆うラミネートフィルム２０とを備える。ラミネートフィルム２０は、凹部２５と、この凹部２５に連なり、その凹部２５を覆うことができる面積を有する蓋部２６とを含む。負極端子２３１は電池コア２１０からほぼ直線状に引出されてラミネートフィルム２０から露出する。
【００５３】
電池コア２１０は、シート状部材としての積層体２１５を複数層重ねて形成される。積層体２１５は、セパレータ２１１と、負極集電体２１２と、セパレータ２１３と、正極集電体２１４とにより構成される。セパレータ２１１は負極集電体２１２を覆うように形成されており、負極集電体２１２の両面と対向する。セパレータ２１３は正極集電体２１４を覆うように形成されており、正極集電体２１４の両面と対向する。セパレータ２１１とセパレータ２１３が直接接触する。負極集電体２１２の両面には負極活物質が塗布されており、負極集電体２１２とセパレータ２１１との間には負極活物質が介在する。正極集電体２１４の両面には正極活物質が塗布されており、正極集電体２１４とセパレータ２１３との間には正極活物質が介在する。なお、図１０および１１では、負極集電体２１２を上側に、正極集電体２１４を下側に記載しているが、これに限られるものではなく、負極集電体２１２を下側に、正極集電体２１４を上側に位置決めしてもよい。
【００５４】
リード線２４１が負極集電体２１２に電気的に接続されている。リード線２４１の一方端部は負極集電体２１２に接続され、他方端部は負極端子２３１に電気的に接続される。複数の負極集電体２１２のそれぞれにリード線２４１が接続されており、図１０または図１１に示されるように、これらのリード線２４１は束ねられて負極端子２３１に接続される。
【００５５】
正極集電体２１４にリード線２４２が接続されている。リード線２４２の一方端部が正極集電体２１４に接続され、他方端部が図示しない正極端子に接続されている。なお、この正極端子も負極端子２３１と同様にラミネートフィルム２０から露出する。リード線２４１とリード線２４２とは直接接触しないように互いに距離をあけて配置される。また、リード線２４１およびリード線２４２は、それぞれラミネートフィルム２０の蓋部２６に近づく方向に延びるように形成される。
【００５６】
図１２は、図１０または図１１中のＸＩＩ−ＸＩＩ線に沿って見た断面を示す図である。図１２を参照して、電池２０１は、ラミネートフィルム２０と、ラミネートフィルム２０で覆われた電池コア２１０を有する。電池コア２１０は、積層体２１５を複数層重ねて構成される。積層体２１５は、セパレータ２１１と、負極集電体２１２と、セパレータ２１３と、正極集電体２１４とを積層して構成される。負極集電体２１２はセパレータ２１１に覆われ、正極集電体２１４はセパレータ２１３で挟まれる。負極集電体２１２の両側に位置するセパレータ２１１は、図１２では、互いに分離しているように見えるが、これらは紙面の手前側または奥側でそれぞれつながっている。正極集電体２１４の両側に位置するセパレータ２１３も図１２では分離しているように見えるが、これらは紙面の手前側または奥側で接続されている。図１２で示されるように、積層体２１５は巻かれることがないため、断面において、セパレータ２１１、負極集電体２１２、セパレータ２１３および正極集電体２１４の積層順が変わることはない。
【００５７】
このように構成された電池２０１でも、実施の形態１で示した電池と同様の効果がある。
【００５８】
なお、上述の電気的接続は、スポット溶接、カシメ、ハトメ等の接続によって行なわれる。
【００５９】
以上、この発明の実施の形態について説明したが、ここで示した実施の形態はさまざまに変形することは可能である。まず、ラミネートフィルム２０の構造としては、３層構造のものを示したが、この構造に限られるものではなく、さらに多くの層を積層してもよい。また、この電池は、リチウム２次電池などの２次電池だけでなく、１次電池にも使用することができる。さらに、正極集電体、負極集電体、正極端子および負極端子の材料は上述したものに限られるものではなく、通常用いられている他の材料を用いることができる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６１】
【発明の効果】
この発明に従えば、小型化が可能で信頼性の高い電池を提供することができる。
【図面の簡単な説明】
【図１】  この発明の実施の形態１に従った電池の斜視図である。
【図２】  図１中のＩＩ−ＩＩ線に沿って見た断面を示す図である。
【図３】  図１中のＩＩＩ−ＩＩＩ線に沿って見た断面を示す図である。
【図４】  負極集電体の平面図である。
【図５】  正極集電体の平面図である。
【図６】  この発明の実施の形態２に従った電池の断面図である。
【図７】  図６中のＶＩＩ−ＶＩＩ線に沿って見た断面を示す図である。
【図８】  正極集電体の平面図である。
【図９】  負極集電体の平面図である。
【図１０】  この発明の実施の形態３に従った電池の断面図である。
【図１１】  この発明の実施の形態３に従った電池のもう１つの断面図である。
【図１２】  図１０または図１１中のＸＩＩ−ＸＩＩ線に沿って見た断面を示す図である。
【図１３】  従来の電池の斜視図である。
【図１４】  図１３中のＸＩＶ−ＸＩＶ線に沿って見た断面を示す図である。
【図１５】  図１３中のＸＶ−ＸＶ線に沿って見た断面を示す図である。
【図１６】  従来の別の電池の断面図である。
【符号の説明】
１，１０１，２０１  電池、１０，１１０，２１０  電池コア、１１，１３，１１１，１１３，２１１，２１３  セパレータ、３１，１３１，２３１  負極端子、３２，１３２，２３２  正極端子、２０  ラミネートフィルム、２５  凹部、２６  蓋部。
【図１】
0003864041.tif 000002
【図２】
0003864041.tif 000003
【図３】
0003864041.tif 000004
【図４】
0003864041.tif 000005
【図５】
0003864041.tif 000006
【図６】
0003864041.tif 000007
【図７】
0003864041.tif 000008
【図８】
0003864041.tif 000009
【図９】
0003864041.tif 000010
【図１０】
0003864041.tif 000011
【図１１】
0003864041.tif 000012
【図１２】
0003864041.tif 000013
【図１３】
0003864041.tif 000014
【図１４】
0003864041.tif 000015
【図１５】
0003864041.tif 000016
【図１６】
0003864041.tif 000017